(57)【要約】【課題】  拡大光学系ユニットの周囲の領域を手術時の利用実態に合わせ、使い勝手を向上させること。【解決手段】  双眼拡大鏡１０は、フレーム１１に左右の眼鏡レンズ(双眼拡大鏡用レンズ)１２、１３を装着し、これらの眼鏡レンズ１２、１３の中心部に使用者の瞳孔位置に合わせて貫通孔である開口部１２ａ，１３ａを形成し、これらの開口部部１２ａ，１３ａに物体を拡大して観察するための左右の拡大光学系ユニット１４、１５を接着することにより構成されている。眼鏡レンズ１２、１３は、図２に示すように、中心となる開口部１２ａ、１３ａの上側が遠用部１２ｂ，１３ｂ、左右が中間部１２ｃ，１３ｃ、下側が近用部１２ｄ，１３ｄとして、それぞれ異なる屈折力を持つ領域として設計されている。各領域の接合部は、開口部１２ａ、１３ａの外側で段差が最小になるよう設計されている。【選択図】  図１
2005128158.tif 000002
【特許請求の範囲】
【請求項１】
眼鏡フレームに左右の眼鏡レンズを組み込み、該眼鏡レンズの中心部に物体を拡大して観察するための左右の拡大光学系ユニットをそれぞれ装着して構成される双眼拡大鏡において、
前記左右の眼鏡レンズは、前記中心部の上側が遠用部、下側が近用部、左右が中間部として、それぞれ異なる屈折力を持つ領域として設計され、各領域の接合部分は、前記中心部の外側で段差が最小となるよう設計されていることを特徴とする双眼拡大鏡。
【請求項２】
中心部が拡大光学系ユニットを取り付けるための開口部として形成され、該中心部の上側が遠用部、下側が近用部、左右が中間部として、それぞれ異なる屈折力を持つ領域として設計され、各領域の接合部分は、前記開口部の外側で段差が最小となるよう設計されていることを特徴とする双眼拡大鏡用レンズ。
【請求項３】
眼鏡フレームに左右の眼鏡レンズを組み込み、該眼鏡レンズの中心部に物体を拡大して観察するための左右の拡大光学系ユニットをそれぞれ装着して構成される双眼拡大鏡において、
前記左右の眼鏡レンズは、前記中心部の上側が遠用部、下側が近用部として、それぞれ異なる屈折力を持つ領域として設計され、各領域の接合部分は、前記中心部の外側で段差が最小となるよう設計されていることを特徴とする双眼拡大鏡。
【請求項４】
中心部が拡大光学系ユニットを取り付けるための開口部として形成され、該中心部の上側が遠用部、下側が近用部として、それぞれ異なる屈折力を持つ領域として設計され、各領域の接合部分は、前記開口部の外側で段差が最小となるよう設計されていることを特徴とする双眼拡大鏡用レンズ。
【請求項５】
前記各領域の接合部は、前記中心部の周縁で段差が最小になるよう設計されていることを特徴とする請求項１または３に記載の双眼拡大鏡。
【請求項６】
前記各領域の接合部は、前記中心部の周縁とレンズ周縁との中間位置で段差が最小になるよう設計されていることを特徴とする請求項１または３に記載の双眼拡大鏡。
【請求項７】
前記各領域の接合部は、前記拡大光学系ユニットの外殻で覆われる領域の周縁で段差が最小となるよう設計されていることを特徴とする請求項１または３に記載の双眼拡大鏡。
【請求項８】
前記各領域の接合部は、前記拡大光学系ユニットの外殻で覆われる領域の周縁とレンズ周縁との中間位置で段差が最小になるよう設計されていることを特徴とする請求項１または３に記載の双眼拡大鏡。
【請求項９】
前記各領域の接合部は、前記開口部の周縁で段差が最小になるよう設計されていることを特徴とする請求項２または４に記載の双眼拡大鏡用レンズ。
【請求項１０】
前記各領域の接合部は、前記開口部の周縁とレンズ周縁との中間位置で段差が最小になるよう設計されていることを特徴とする請求項２または４に記載の双眼拡大鏡用レンズ。
【請求項１１】
前記各領域の接合部は、前記拡大光学系ユニットの外殻で覆われる領域の周縁で段差が最小となるよう設計されていることを特徴とする請求項２または４に記載の双眼拡大鏡用レンズ。
【請求項１２】
前記各領域の接合部は、前記拡大光学系ユニットの外殻で覆われる領域の周縁とレンズ周縁との中間位置で段差が最小になるよう設計されていることを特徴とする請求項２または４に記載の双眼拡大鏡用レンズ。
【発明の詳細な説明】
【技術分野】
【０００１】
本発明は、手元にある物体を双眼で拡大して観察するための双眼拡大鏡、およびこの双眼拡大鏡に用いられる双眼拡大鏡用レンズに関する。
【背景技術】
【０００２】
脳外科手術等の微細な組織を処置する手術においては、医師は処置部を拡大して観察しながら手術を行う。また、処置部を立体的に観察するため、双眼の拡大鏡を用いることが望ましい。特許文献１には、眼鏡の左右レンズの中央部に開口を形成し、これらの開口に拡大光学系ユニットを取り付けて構成される双眼拡大鏡が開示されている。
【特許文献１】特開２００３−１９５１８５号公報  図２
【発明の開示】
【発明が解決しようとする課題】
【０００３】
しかしながら、特許文献１には、多焦点の眼鏡レンズに拡大光学系ユニットを取り付ける場合が全く考慮されていない。双眼拡大鏡を手術に使用する際には、使用者である医師は、視野の中心では拡大光学系ユニットを介して術部を拡大して観察するが、拡大光学系ユニットより上側の領域では他の医師や看護士とのコミュニケーションを図り、拡大光学系ユニットの左右の領域では手術用器具等の受け渡しを確認し、拡大光学系ユニットの下側の領域では術部の周囲を観察する。すなわち、各領域を介して観察する際の物体距離が互いに異なる。特許文献１に開示された双眼拡大鏡は、このような手術時の要望を満たすことができない。
【０００４】
本発明は、上述した従来技術の問題点に鑑みてなされたものであり、拡大光学系ユニットの周囲の領域を手術時の利用実態に合わせ、使い勝手を向上させることができる双眼拡大鏡、およびこれに用いられる双眼拡大鏡用レンズを提供することを目的とする。
【課題を解決するための手段】
【０００５】
本発明にかかる双眼拡大鏡は、眼鏡フレームに左右の眼鏡レンズを組み込み、これらの眼鏡レンズの中心部に物体を拡大して観察するための左右の拡大光学系ユニットをそれぞれ装着した構成において、左右の眼鏡レンズの中心部の上側を遠用部、下側を近用部、左右を中間部として、それぞれ異なる屈折力を持つ３つの領域として設計し、各領域の接合部分の段差が、中心部の外側で最小となるよう設計されていることを特徴とする。
【０００６】
また、本発明にかかる双眼拡大鏡用レンズは、中心部が拡大光学系ユニットを取り付けるための開口部として形成され、中心部の上側が遠用部、下側が近用部、左右が中間部として、それぞれ異なる屈折力を持つ領域として設計され、各領域の接合部分の段差が、開口部の外側で最小となるよう設計されていることを特徴とする。領域は、上側の遠用部、下側の近用部の２つに分割されていてもよい。
【０００７】
すなわち、本発明の双眼拡大鏡用レンズは、遠用部、中間部、近用部の屈折力の異なる３つの領域を有する三重焦点レンズ、あるいは、遠用部、近用部の屈折力の異なる２つの領域を有する二重焦点レンズの中心部に拡大光学系ユニットを装着し、かつ、各領域の接合部分の段差が開口部の外側で最小となるよう設計したことを特徴としている。
【０００８】
三重焦点レンズ、二重焦点レンズのような多焦点レンズは、例えば前面が単一の球面として、後面が各領域毎に異なる曲率を持つ複数の球面として構成される。このように、後面を曲率の異なる複数の球面で構成すると、各領域のレンズ厚は異なる変化をするため、各領域の境界には段差が生じる。一般に、眼鏡レンズは視野の中心となるレンズ中心部での性能が重視されるため、多焦点レンズは、中心部で段差がなくなるように設計される。したがって、周辺部に向かうにつれて段差が大きくなり、最周辺部では境界によって像が２つに分離し、対象物の観察が困難になる。このため、単に従来の三重焦点レンズに拡大光学系ユニットを装着するのみでは、周辺部で対象物の観察が困難になる。
【０００９】
本発明の双眼拡大鏡用レンズは、中心部に拡大光学系ユニットが装着するための開口部を有するため、各領域間の段差を中心部で最小にする必要がない。そこで、開口部の外側で段差が最小になるよう設計することにより、周辺部での段差の拡大を防ぐことができ、周辺部の境界部分でも対象物の観察を容易にすることができる。開口部の周縁で段差が最小になるようにしてもよいし、開口部の周縁とレンズ周縁との中間位置で段差が最小になるよう設計することもできる。また、実際に拡大光学系ユニットが取り付けられると、その外殻は開口部(中心部)より大きくなり、外殻で覆われる領域も外界を観察するためには用いられないため、外殻で覆われる領域の周縁で段差が最小になるようにしてもよいし、外殻で覆われる領域の周縁とレンズ周縁との中間位置で段差が最小になるように設計してもよい。
【発明の効果】
【００１０】
本発明によれば、中心部の上側が遠用部、下側が近用部、左右が中間部として、それぞれ異なる屈折力を持つ領域として設計されているため、本発明の双眼拡大鏡を装着した医師は、手術中、遠用部では他の医師や看護士とのコミュニケーションを図り、中間部では手術用器具等の受け渡しを確認し、近用部では術部の周囲を観察することができ、拡大光学系ユニットの周囲の領域を手術時の利用実態に合わせ、使い勝手を向上させることができる。
【発明を実施するための最良の形態】
【００１１】
以下、この発明にかかる双眼拡大鏡、およびこれを用いる双眼拡大鏡用レンズの実施形態を説明する。図１は、第１の実施形態にかかる双眼拡大鏡の正面図、図２は、図１の双眼拡大鏡に用いられる眼鏡レンズの正面図である。
【００１２】
第１の実施形態にかかる双眼拡大鏡１０は、フレーム１１に左右の眼鏡レンズ(双眼拡大鏡用レンズ)１２、１３を装着し、これらの眼鏡レンズ１２、１３の中心部に使用者の瞳孔位置に合わせて貫通孔である開口部１２ａ，１３ａ(図２参照)を形成し、これらの開口部部１２ａ，１３ａに物体を拡大して観察するための左右の拡大光学系ユニット１４、１５を接着することにより構成されている。
【００１３】
フレーム１１は、レンズ１２、１３を保持するリム１１ａ、１１ｂ、左右のリム１１ａ、１１ｂを接続するブリッジ１１ｃ、リムの内側に配置された鼻当てとなるパッド１１ｄ、１１ｅ、リムの外側で耳にかけるためのテンプル１１ｆ、１１ｇから構成されている。
【００１４】
眼鏡レンズ１２、１３は、図２に示すように、中心となる開口部１２ａ、１３ａの上側が遠用部１２ｂ，１３ｂ、左右が中間部１２ｃ，１３ｃ、下側が近用部１２ｄ，１３ｄとして、それぞれ異なる屈折力を持つ領域として設計されている。すなわち、眼鏡レンズ１２、１３は、遠用部、中間部、近用部の屈折力の異なる３つの領域を有する三重焦点レンズである。各領域の屈折力は、例えば、無限遠の眼鏡レンズの度数を基準にして、遠用部１２ｂ，１３ｂは物体距離２メートルに対応して＋０．５ディオプター加入、中間部１２ｃ，１３ｃは物体距離１メートルに対応して＋１．０ディオプター加入、近用部１２ｄ，１３ｄは物体距離０．５メートルに対応して＋２．０ディオプター加入とする。
【００１５】
このような構成によると、拡大光学系ユニット１４、１５により術部を拡大観察できるのに加え、遠用部１２ｂ，１３ｂでは他の医師や看護士とのコミュニケーションを図り、中間部１２ｃ，１３ｃでは手術用器具等の受け渡しを確認し、近用部１２ｄ，１３ｄでは術部の周囲を観察するのに適した屈折力を得ることができ、手術時の利用実態に合わせ、使い勝手を向上させることができる。
【００１６】
眼鏡レンズ１２、１３は、前面が単一の球面として、後面が各領域毎に異なる曲率を持つ複数の球面として構成される。このような構成では、前述のように各領域の境界に段差が生じる。ここで、従来の三重焦点レンズのように、中心部で段差がなくなるように設計すると、周辺部での段差が過大となり、対象物の観察が困難になる。
【００１７】
実施形態では、中心部に開口部１２ａ、１３ａが形成されるため、各領域間の段差を中心部で最小にする必要がない。そこで、眼鏡レンズ１２、１３は、遠用部１２ｂ、１３ｂと中間部１２ｃ、１３ｃとの境界となる接合部分、および中間部１２ｃ、１３ｃと近用部１２ｄ、１３ｄとの境界となる接合部分において、開口部１２ａ、１３ａの外側で段差が最小となるよう設計されている。これにより、周辺部での段差の拡大を防ぐことができ、周辺部の境界部分でも対象物の観察を容易にすることができる。
【００１８】
開口部１２ａ、１３ａは、直径約１０mmの円形の貫通孔である。この開口部１２ａ、１３ａの中心で各領域の段差が最小になるよう設計した場合の段差と、開口部１２ａ、１３ａの周縁で段差が最小になるように設定した場合の段差とにつき、図３、図４を参照して説明する。
【００１９】
左眼用の眼鏡レンズ１２の中間部１２ｃと近用部１２ｄとの境界部分の段差を例にする。図３に示すように、開口部１２ａの中心から境界がレンズ周縁に達する位置までの距離をＬ1、開口部１２ａの周縁から境界線がレンズ周縁に達する位置までの距離をＬ2とする。説明を簡単にするため、図４に示すように、中間部１２ｃを平面、近用部１２ｄを半径Ｒの球面とする。開口部１２ａの中心で段差がゼロになるよう設定すると、レンズ周縁での段差はＨ1となる。これに対して、開口部１２ａの周縁で段差がゼロになるよう設定すると、レンズ周縁での段差はＨ1より小さいＨ2となる。さらに、開口部１２ａの周縁とレンズ周縁との中間位置Ｌ2/2で段差が最小になるよう設計すれば、開口部１２ａ側では逆方向の段差が生じるものの、段差の最大値(絶対値)はＨ3となり、更に段差を縮小することができる。
【００２０】
例えば、中間部１２ｃと近用部１２ｄとの屈折力の差が１ディオプターであるとすると、面のカーブは半径５００mmの差となる。開口部１２ａの直径は１０mmであるため、Ｌ1を３０mmとすると、Ｌ2は２５mm、Ｌ2／２は１２．５mmとなる。これらの値により段差の最大値を計算すると、
Ｈ1＝500−√(5002−302)＝０．９０mm
Ｈ2＝500−√(5002−252)＝０．６３mm
Ｈ3＝500−√(5002−12.52)＝０．１６mm
となる。
【００２１】
中心重点の考え方の延長で、開口部１２ａ、１３ａの周縁で段差が最小となるように設計しても、Ｈ2に示すように段差を小さくすることができる。さらに、中心重点の考え方を廃し、各領域の中間位置での段差が最小になるよう設計すれば、Ｈ3に示すように段差をより小さくすることができる。実施形態の双眼拡大鏡１０は、中心部に拡大光学系ユニット１４，１５が装着されるため、その直近である開口部１２ａ、１３ａの周縁よりは、各領域の中間位置の方が使用頻度が高くなる。したがって、これら中間位置で段差が最小になるよう設定することにより、各領域の接合部分でも快適な視野を得ることができる。
【００２２】
なお、実際に拡大光学系ユニット１４，１５が取り付けられると、その外殻は開口部１２ａ，１３ａより大きくなり、開口部の外側で外殻で覆われる領域も外界を観察するためには用いられないため、外殻で覆われる領域の周縁で段差が最小になるようにしてもよいし、外殻で覆われる領域の周縁とレンズ周縁との中間位置で段差が最小になるように設計してもよい。
【００２３】
拡大光学系ユニット１４、１５は、物体を拡大して観察するための拡大光学系と、この拡大光学系の光路を一方側に偏向する反射型の偏向手段とから構成される。例えば、左眼用の拡大光学系ユニット１４は、図５に示すように、物体側に配置された正のパワーを持つ対物レンズ１４ａと、対物レンズ１４ａを介して入射する光を２回内面反射させる偏向手段としてのプリズム１４ｂと、このプリズム１４ｂにより偏向された光を眼ＥＲに導く負のパワーを持つ接眼レンズ１４ｃとから構成されている。
【００２４】
拡大光学系ユニット１４、１５は、使用者の眼鏡処方箋、作動距離(ワーキングディスタンス)、拡大鏡の倍率に基づいて設計され、かつ、使用者の瞳孔間距離に応じて眼鏡レンズ１２、１３の適切な位置に接着剤により固定される。
【００２５】
次に、図６に基づいて第２の実施形態にかかる双眼拡大鏡について説明する。第２の実施形態にかかる双眼拡大鏡２０は、眼鏡フレーム２１と、左右の眼鏡レンズ(双眼拡大鏡用レンズ)２２、２３、そして、これらの眼鏡レンズ２２、２３の中心部に装着された左右の拡大光学系ユニット２４、２５から構成されている。概略構成は図１に示した第１の実施形態の双眼拡大鏡１０と共通である。
【００２６】
ただし、第２の実施形態では、眼鏡レンズ２２、２３が遠用部２２ｂ、２３ｂと近用部２２ｃ、２３ｃとの屈折力の異なる２つの領域から構成されている点が第１の実施形態とは異なる。すなわち、眼鏡レンズ２２、２３は、中心部の上側に遠用部２２ｂ、２３ｂ、下側に近用部２２ｃ、２３ｃを備える二重焦点レンズである。
【００２７】
各領域の接合部は、第１の実施形態において説明したのと同様に、開口部(図示略)の周縁で段差が最小になるように、あるいは、開口部の周縁とレンズ周縁との中間位置で段差が最小になるように設計されている。これにより、接合部での段差を小さくし、接合部分での観察を一般の中心重点の二重焦点レンズより容易にすることができる。
【図面の簡単な説明】
【００２８】
【図１】第１の実施形態にかかる双眼拡大鏡を示す正面図である。
【図２】図１の双眼拡大鏡に用いられる眼鏡レンズの正面図である。
【図３】接合部分の長さを比較するため、図２に示す双眼拡大鏡の左眼用レンズの一方を取り出して示した正面図である。
【図４】接合部分の段差を比較するための説明図である。
【図５】図１に示す双眼拡大鏡に装着された左眼用の拡大光学系ユニットの構成を示す側面図である。
【図６】第２の実施形態にかかる双眼拡大鏡を示す正面図である。
【符号の説明】
【００２９】
１０  双眼拡大鏡
１１  眼鏡フレーム
１２、１３  眼鏡レンズ
１２ａ、１３ａ  開口部
１２ｂ、１３ｂ  遠用部
１２ｃ、１３ｃ  中間部
１２ｄ、１３ｄ  近用部
１４、１５  拡大光学系ユニット
【図１】
2005128158.tif 000003
【図２】
2005128158.tif 000004
【図３】
2005128158.tif 000005
【図４】
2005128158.tif 000006
【図５】
2005128158.tif 000007
【図６】
2005128158.tif 000008